(57)【要約】【課題】カテゴリーを追加又は修正し、商品の人気度に基づいて定量的なカテゴリーに対してオプション範囲を動的に調整するカテゴリー動的調整方法及びシステムを提供すること。【解決手段】カテゴリー動的調整方法は、商品を詳細検索するためのカテゴリーに対してカテゴリー編集データを生成するステップと、生成されたカテゴリー編集データを反映して前記商品のカテゴリーを編集するステップと、カテゴリー編集が反映された商品の全体カテゴリーのうち、定量的カテゴリーに対してカテゴリーのオプション範囲を動的に調整するステップとを含む。【選択図】図６
2010097607.tif 000002
【特許請求の範囲】
【請求項１】
商品を詳細検索するためのカテゴリーに対してカテゴリー編集データを生成するステップと、
前記生成されたカテゴリー編集データを反映して前記商品のカテゴリーを編集するステップと、
カテゴリー編集が反映された商品の全体カテゴリーのうち、定量的カテゴリーに対してカテゴリーのオプション範囲を動的に調整するステップと、
を含むことを特徴とするカテゴリー動的調整方法。
【請求項２】
前記カテゴリー編集データを生成するステップは、
前記商品のカテゴリーに対してカテゴリー又はカテゴリーオプションを修正又は追加するカテゴリー編集データを生成することを特徴とする請求項１に記載のカテゴリー動的調整方法。
【請求項３】
前記商品のカテゴリーを編集するステップは、
前記カテゴリーと関連したユーザの選好度に基づいて前記カテゴリー又は前記カテゴリーのオプションを整列するステップを含むことを特徴とする請求項１に記載のカテゴリー動的調整方法。
【請求項４】
前記商品のカテゴリーを編集するステップは、
前記カテゴリーと関連したユーザの選好度に基づいて前記選好度が最も高いカテゴリーのオプションを選択するステップを含むことを特徴とする請求項１に記載のカテゴリー動的調整方法。
【請求項５】
前記商品のカテゴリーを編集するステップは、
前記カテゴリーとは別途に前記カテゴリーに対するユーザの選好度データを生成するステップを含むことを特徴とする請求項１に記載のカテゴリー動的調整方法。
【請求項６】
前記カテゴリーのオプション範囲を動的に調整するステップは、
前記カテゴリーのオプション区間別の商品の人気度を考慮して前記カテゴリーのオプション範囲を調整することを特徴とする請求項１に記載のカテゴリー動的調整方法。
【請求項７】
前記商品の人気度は、
前記オプション区間別の商品選択数、前記オプション区間別の区間選択数、前記オプション区間別の商品ＤＢ個数又は前記オプション区間別の商品販売件数を含むことを特徴とする請求項６に記載のカテゴリー動的調整方法。
【請求項８】
前記カテゴリーのオプション範囲を動的に調整するステップは、
前記カテゴリーのオプション区間別に商品の人気度が類似するように、前記オプション区間の間隔を異なるようにして前記カテゴリーのオプション範囲を調整することを特徴とする請求項６に記載のカテゴリー動的調整方法。
【請求項９】
前記カテゴリーのオプション範囲を動的に調整するステップは、
前記カテゴリーのオプション区間の間隔を一定にし、前記商品の人気度によって前記オプション区間に対する最小値及び最大値を異なるように設定し、前記カテゴリーのオプション範囲を調整することを特徴とする請求項６に記載のカテゴリー動的調整方法。
【請求項１０】
前記調整されたオプション範囲を反映して前記商品に関する詳細検索インタフェースをユーザに提供するステップをさらに含むことを特徴とする請求項１に記載のカテゴリー動的調整方法。
【請求項１１】
コンピュータで読み取り可能な記録媒体であって、
請求項１乃至１０のいずれか１項に記載の方法を実行するためのプログラムが記録されていることを特徴とする記録媒体。
【請求項１２】
商品を詳細検索するためのカテゴリーに対してカテゴリー編集データを生成する編集データ生成部と、
前記カテゴリー編集データを反映して前記商品のカテゴリーを編集するカテゴリー編集部と、
前記カテゴリー編集が反映された商品の全体カテゴリーのうち、定量的カテゴリーに対して商品の属性情報を利用してカテゴリーのオプション範囲を動的に調整するオプション範囲調整部と、
を含むことを特徴とするカテゴリー動的調整システム。
【請求項１３】
前記編集データ生成部は、
前記商品のカテゴリーに対してカテゴリー又はカテゴリーオプションを修正又は追加するカテゴリー編集データを生成することを特徴とする請求項１２に記載のカテゴリー動的調整システム。
【請求項１４】
前記カテゴリー編集部は、
前記カテゴリーと関連したユーザの選好度に基づいて前記カテゴリー又は前記カテゴリーのオプションを整列することを特徴とする請求項１２に記載のカテゴリー動的調整システム。
【請求項１５】
前記カテゴリー編集部は、
前記カテゴリーと関連したユーザの選好度に基づいて前記選好度が最も高いカテゴリーのオプションを選択することを特徴とする請求項１２に記載のカテゴリー動的調整システム。
【請求項１６】
前記カテゴリー編集部は、
前記カテゴリーと別途に前記カテゴリーに対するユーザの選好度データを生成することを特徴とする請求項１２に記載のカテゴリー動的調整システム。
【請求項１７】
前記オプション範囲調整部は、
前記カテゴリーのオプション区間別の商品の人気度を考慮して、前記カテゴリーのオプション範囲を調整することを特徴とする請求項１２に記載のカテゴリー動的調整システム。
【請求項１８】
前記商品の人気度は、
前記オプション区間別の商品選択数、前記オプション区間別の区間選択数、前記オプション区間別の商品ＤＢ個数又は前記オプション区間別の商品販売件数を含むことを特徴とする請求項１７に記載のカテゴリー動的調整システム。
【請求項１９】
前記オプション範囲調整部は、
前記カテゴリーのオプション区間別の商品の人気度が類似するように、前記オプション区間の間隔を異なるようにして前記カテゴリーのオプション範囲を調整することを特徴とする請求項１７に記載のカテゴリー動的調整システム。
【請求項２０】
前記オプション範囲調整部は、
前記カテゴリーのオプション区間の間隔を一定にし、前記商品の人気度によって前記オプション区間に対する最小値及び最大値を異なるように設定し、前記カテゴリーのオプション範囲を調整することを特徴とする請求項１７に記載のカテゴリー動的調整システム。
【請求項２１】
前記調整されたオプション範囲を反映して前記商品に関する詳細検索インタフェースをユーザに提供する検索インタフェース提供部をさらに含むことを特徴とする請求項１２に記載のカテゴリー動的調整システム。
【発明の詳細な説明】
【技術分野】
【０００１】
本発明は、カテゴリー動的調整方法及びシステムに関し、より詳しくは、カテゴリーを追加又は修正し、商品の人気度に基づいて定量的なカテゴリーに対してオプション範囲を動的に調整する方法及びシステムに関する。
【背景技術】
【０００２】
インターネット検索サービスを提供する会社は、知識ショッピング（同時に多数のインターネット・ショッピングサイトから製品を探し、多数のインターネット・ショッピングサイトからユーザや専門家により書かれたレビューを参照して、製品の最安価格を探す等の特徴を提供することにより、ユーザはウェブサイトを通じてショッピングに関する全ての必要な情報や要求された情報を直ちに見ることができる。）のようなショッピングサービスも一緒に提供する場合が多い。この際、ユーザは、所望の形態の商品を検索するためにショッピングサービスの詳細検索を利用する。
【０００３】
詳細検索は、商品の多様な属性を一つ又は一つ以上を選択し、ユーザが実際希望する属性を有する商品を選択することができることを意味する。この際、商品の属性は、より具体的な要素に区分され、ユーザの検索範囲をさらに正確に決定するようにすることができる。
【０００４】
この際、新製品がしきりに発売開始される電子製品などは、当該商品の属性もそれに伴なって急速に変化することができる。しかし、商品を検索するための詳細検索サービスにおいて、商品の属性は、商品の発展を即刻に反映することができないため、ユーザが実際希望する商品を検索できないという問題点が発生する。
【０００５】
このような商品の発展状況を十分に反映することができる詳細検索サービスを提供するための多様な方法が要求されている。
【先行技術文献】
【特許文献】
【０００６】
【特許文献１】韓国特許公開２００６−１２０３３８号公報
【特許文献１】韓国特許公開２００５−１０６１８３号公報
【発明の概要】
【発明が解決しようとする課題】
【０００７】
本発明は、上述した従来技術の問題点を解決するために、商品の属性であるカテゴリー又はカテゴリーのオプションをユーザが追加するか、又は修正することができるようにすることによって、ユーザの検索性向を容易に反映することができるカテゴリー動的調整方法及びシステムを提供する。
【０００８】
本発明は、オプション区間別の商品の人気度に基づいて定量的カテゴリーのオプション範囲を動的に調整することによって、商品の発展状況に符合し且つユーザの人気度を反映することができる詳細検索サービスを提供することができるカテゴリー動的調整方法及びシステムを提供する。
【０００９】
本発明は、ユーザの選好度を考慮して、カテゴリー又はカテゴリーのオプションを整列するか、又はユーザ選好データを提供することによって、実際にユーザに人気のある商品を検索することができるようにするカテゴリー動的調整方法及びシステムを提供する。
【課題を解決するための手段】
【００１０】
上記目的を達成するために、本発明の一態様に係るカテゴリー動的調整方法は、商品を詳細検索するためのカテゴリーに対してカテゴリー編集データを生成するステップと、前記生成されたカテゴリー編集データを反映して前記商品のカテゴリーを編集するステップと、カテゴリー編集が反映された商品の全体カテゴリーのうち定量的カテゴリーに対してカテゴリーのオプション範囲を動的に調整するステップとを含む。
【００１１】
本発明の一態様によれば、前記カテゴリー編集データを生成するステップは、ユーザから既に存在するカテゴリーを修正するか、又は新しいカテゴリーを追加するカテゴリー編集データを生成することができる。
【００１２】
本発明の一態様によれば、前記カテゴリーのオプション範囲を動的に調整するステップは、前記カテゴリーのオプション区間別の商品の人気度を考慮して前記カテゴリーのオプション範囲を調整することができる。
【００１３】
本発明の一実施例に係るカテゴリー動的調整システムは、商品を詳細検索するためのカテゴリーに対してカテゴリー編集データを生成する編集データ生成部と、前記カテゴリー編集データを反映して前記商品のカテゴリーを編集するカテゴリー編集部と、前記カテゴリー編集が反映された商品の全体カテゴリーのうち、定量的カテゴリーに対して商品の属性情報を利用してカテゴリーのオプション範囲を動的に調整するオプション範囲調整部とを含む。
【発明の効果】
【００１４】
本発明によれば、商品の属性であるカテゴリー又はカテゴリーのオプションをユーザが追加するか、又は修正することができるようにすることによって、ユーザの検索性向を容易に反映することができるカテゴリー動的調整方法及びシステムが提供される。
【００１５】
本発明によれば、オプション区間別の商品の人気度に基づいて定量的カテゴリーのオプション範囲を動的に調整することによって、商品の発展状況に符合し且つユーザの人気度を反映することができる詳細検索サービスを提供することができるカテゴリー動的調整方法及びシステムが提供される。
【００１６】
本発明によれば、ユーザの選好度を考慮して、カテゴリー又はカテゴリーのオプションを整列するか、又はユーザ選好データを提供することによって、実際にユーザに人気ある商品を検索することができるようにするカテゴリー動的調整方法及びシステムが提供される。
【図面の簡単な説明】
【００１７】
【図１】本発明の一実施例に係るカテゴリー動的調整方法を示すフローチャートである。
【図２】本発明の一実施例によってカテゴリー編集データを生成する一例を示す図である。
【図３】本発明の一実施例によってカテゴリーのオプション範囲を調整する一例を示す図である。
【図４】本発明の一実施例によってカテゴリーのオプション範囲を調整する他の一例を示す図である。
【図５】本発明の一実施例によって検索インタフェースを提供する多様な例を示す図である。
【図６】本発明の一実施例に係るカテゴリー動的調整システムの全体構成を示すブロックダイヤグラムである。
【発明を実施するための形態】
【００１８】
以下、添付の図面に記載された内容を参照して本発明による実施例を詳細に説明する。但し、本発明が実施例によって制限されるか、限定されるものではない。各図面に提示された同一の参照符号は、同一の部材を示す。本発明の一実施例に係るカテゴリー動的調整方法は、カテゴリー動的調整システムによって行うことができる。
【００１９】
図１は、本発明の一実施例に係るカテゴリー動的調整方法を示すフローチャートである。
【００２０】
ステップＳ１０１において、カテゴリー動的調整システムは、商品を詳細検索するためのカテゴリーに対してカテゴリー編集データを生成することができる。ここで、カテゴリーは、商品の属性（例えば、商品がカメラの場合、カテゴリーは、レンズ、メモリ、ズーム倍率などを含む）と関連したデータであってもよい。カテゴリーは、商品の種類によって異ならせてもよい。
【００２１】
この際、カテゴリー動的調整システムは、前記商品のカテゴリーに対してカテゴリー又はカテゴリーオプションを修正又は追加するカテゴリー編集データを生成する。
【００２２】
一例として、カテゴリー動的調整システムは、既に存在するカテゴリーを修正する。すなわち、カテゴリー動的調整システムは、カテゴリーを変更又は除去するカテゴリー編集データを生成する。また、カテゴリー動的調整システムは、新しいカテゴリーを追加するカテゴリー編集データを生成する。
【００２３】
他の一例として、カテゴリー動的調整システムは、既に存在するカテゴリーに対する新しいオプション又は新しいカテゴリーに対する新しいオプションを追加するカテゴリー編集データを生成する。ここで、オプションは、カテゴリーの属性を細分化する要素（例えば、カテゴリーがズーム倍率の場合、オプションは、２倍ズーム、３倍ズームなどを含む）として定義される。
【００２４】
既にＡカテゴリーが存在する場合、カテゴリー動的調整システムは、Ａカテゴリーに対して新しいオプションであるａを追加する。また、新しいＢカテゴリーが存在する場合、カテゴリー動的調整システムは、Ｂカテゴリーに対して新しいオプションであるｂを追加する。結論的に、カテゴリー動的調整システムは、カテゴリーを追加しながら、カテゴリーのオプションを追加することもできる。
【００２５】
ステップＳ１０２において、カテゴリー動的調整システムは、カテゴリー編集データを反映して、前記商品のカテゴリーを編集する。すなわち、カテゴリー動的調整システムは、カテゴリー編集データを反映して、カテゴリーを修正するか、又は新しいカテゴリーを追加することによって、商品を詳細検索するためのカテゴリーを編集する。カテゴリーを追加するか、又はカテゴリーのオプションを追加する具体的な一例は、図２で説明する。
【００２６】
一例として、新しいカテゴリーを追加する場合、カテゴリー動的調整システムは、臨時にカテゴリーを追加し、追加されたカテゴリーが選択される頻度又はシステム管理者の検討によって詳細検索に最終的に追加することができる。カテゴリーが商品検索のための検索要素となるので、カテゴリー動的調整システムは、ユーザの意図によってすぐ反映するよりは、実際使用頻度によって反映するか否かを決定することができる。
【００２７】
カテゴリー動的調整システムは、カテゴリー又はカテゴリーのオプションが追加又は修正されれば、ユーザの選好度によってカテゴリー又はカテゴリーのオプションに関して別途の機能を行う。
【００２８】
一例として、カテゴリー動的調整システムは、カテゴリーと関連したユーザの選好度に基づいてカテゴリー又はカテゴリーのオプションを整列する。例えば、カテゴリー動的調整システムは、ユーザの関心度によってカテゴリーを降順に整列するか、又はカテゴリーのオプションを降順に整列する。
【００２９】
他の一例として、カテゴリー動的調整システムは、カテゴリーと関連したユーザの選好度に基づいて選好度が最も高いカテゴリーのオプションを選択する。すなわち、カテゴリー動的調整システムは、ユーザの関心が高いカテゴリーのオプションを選択することによって、ユーザにとって詳細検索のための参照データとして活用することができるようにする。
【００３０】
また他の一例として、カテゴリー動的調整システムは、カテゴリーとは別に、カテゴリーに対するユーザの選好度データを生成する。すなわち、ユーザが多く選択したカテゴリー又はカテゴリーオプションに対して選択回数として示すことができる選好度データを生成する。このような選好度データは、詳細検索インタフェースに別途に提供される。
【００３１】
ステップＳ１０３において、カテゴリー動的調整システムは、カテゴリー編集が反映された商品の全体カテゴリーのうち、定量的カテゴリーに対してカテゴリーのオプション範囲を動的に調整する。すなわち、カテゴリー動的調整システムは、カテゴリーが数字オプションで構成された定量的カテゴリーの場合、オプション範囲を動的に調整する。新しい商品が登場する度に、商品の属性はますます高性能化される。但し、新しい商品を検索するための詳細検索のカテゴリーがそのまま維持される場合、高性能の商品を検索しにくいことがあるので、このような状況を反映してオプション範囲を調整する必要がある。
【００３２】
一例として、カテゴリー動的調整システムは、カテゴリーのオプション区間別の商品の人気度を考慮してカテゴリーのオプション範囲を調整する。この際、商品の人気度は、カテゴリーのオプション区間によって決定される。具体的に、商品の人気度は、オプション区間別の商品選択数、オプション区間別の区間選択数、オプション区間別の商品ＤＢ個数又はオプション区間別の商品販売件数などを含むことができる。オプション区間別の商品の人気度は、システムの構成によって変更される。
【００３３】
具体的に、カテゴリー動的調整システムは、カテゴリーのオプション区間別の商品の人気度が類似するように、前記オプション区間の間隔を異なるようにして、前記カテゴリーのオプション範囲を調整することができる。また、カテゴリー動的調整システムは、カテゴリーのオプション区間の間隔を一定にし、商品の人気度によってオプション区間に対する最小値及び最大値を異なるように設定し、カテゴリーのオプション範囲を調整することができる。カテゴリーのオプション範囲を調整する具体的な一例は、図３及び図４で具体的に説明する。
【００３４】
ステップＳ１０４において、カテゴリー動的調整システムは、調整されたオプション範囲を反映して商品に関する詳細検索インタフェースをユーザに提供する。すなわち、ユーザが商品の詳細属性によって商品を検索することができるように、カテゴリー動的システムは、詳細検索インタフェースをユーザに提供する。
【００３５】
一例として、カテゴリー動的調整システムは、カテゴリーと関連したユーザの選好度に基づいて前記カテゴリー又は前記カテゴリーのオプションを整列した詳細検索インタフェースを提供する。また、カテゴリー動的調整システムは、カテゴリーと関連したユーザの選好度に基づいて選好度が最も高いカテゴリーのオプションを選択した詳細検索インタフェースを提供する。この際、選択されたカテゴリーのオプションは、詳細検索インタフェースのデフォルトオプションとして決定される。また、カテゴリー動的調整システムは、カテゴリーとは別途にカテゴリーに対するユーザの選好度データを含む詳細検索インタフェースを提供する。その他、詳細検索インタフェースを通じてユーザに提供される内容は、システムの構成によって変更される。
【００３６】
詳細検索インタフェースを提供する具体的な一例は、図５で説明する。
【００３７】
図２は、本発明の一実施例によってユーザから生成したカテゴリー編集データの一例を示す図である。
【００３８】
図２を参照すれば、商品を検索するための詳細検索インタフェース２０１が示されている。詳細検索インタフェース２０１はシステムの構成によって変更される。この際、図２に示された詳細検索インタフェース２０１は、デジタルカメラに関するものであることが分かる。詳細検索インタフェース２０１において、「製造会社、ブランド、画素、光学ズーム、メモリ、ＬＣＤサイズ」がカテゴリーを意味し、「キヤノン、ソニー、三星テックウィン、ニコン、オリンパス」が「製造会社」であるカテゴリーのオプションを意味する。
【００３９】
カテゴリー動的調整システムは、商品を詳細検索するためのカテゴリーに対してカテゴリー編集データを生成する。図２を参照すれば、参照符号２０２は、カテゴリー及びカテゴリーのオプションを追加するカテゴリー編集データに関するものである。参照符号２０３は、既に存在するカテゴリーに対して新しいオプションを追加するカテゴリー編集データに関するものである。
【００４０】
すなわち、カテゴリー動的調整システムは、カメラのカテゴリーである「特殊機能」を既存のカテゴリーに追加するカテゴリー編集データを生成する。
【００４１】
また、カテゴリーが「特殊機能」の場合、カテゴリー動的調整システムは、ユーザからカテゴリーのオプションに該当する「手の震え防止、顔認識、回転型ＬＣＤ、手動機能、接写機能、タッチスクリーン」を追加するカテゴリー編集データを生成する。
【００４２】
例えば、ユーザが別途のカテゴリー編集インタフェースを通じて新しいカテゴリーを入力するか（特定ページの一部領域を通じて新しいカテゴリーが入力される）又は既に存在するカテゴリーを修正する場合、カテゴリー動的調整システムは、追加又は修正されたカテゴリーに基づいてカテゴリー編集データを生成する。
【００４３】
すなわち、カテゴリー動的調整システムは、カテゴリー又はカテゴリーのオプションをユーザが追加することができるようにすることによって、実際ユーザが希望する形式の詳細検索を行うことができるようにする。但し、ユーザが非専門家の場合、商品と関係ないか、又は不十分なカテゴリーが追加されることがあるので、カテゴリー動的調整システムは、ユーザによって追加されたカテゴリーやカテゴリーのオプションを既存のカテゴリーにすぐ反映するものでなく、臨時に追加する。
【００４４】
具体的には、ユーザの追加したカテゴリーが詳細検索に追加されるのに適合しないこともあるので、詳細検索管理者の検討を経て新しいカテゴリーが追加される。一例として、ユーザによって追加されたカテゴリー又はカテゴリーオプションなどは、別途に指定したグループに臨時に保存され、管理者の検討を通じて臨時に保存されたカテゴリー又はカテゴリーオプションが選択される。
【００４５】
図３は、本発明の一実施例によってカテゴリーのオプション範囲を調整する一例を示す図である。
【００４６】
図３は、カテゴリーのオプション範囲を動的に調整する一例である。参照符号３０１は、商品が「デジタルカメラ」の場合、全体カテゴリーのうち定量的カテゴリーに該当する「画素」に対してオプション範囲を示している。カメラにおいて、「画素」は、カメラの技術が発展するほど、「画素」が増加することが一般的である。すなわち、最近、多く使用されるデジタルカメラの画素が１０００万画素の場合、ユーザは、１００万画素及び２００万画素のカメラをほとんど検索しないと言える。結局、商品の実際検索される状況を考慮して、詳細検索のためのカテゴリーのオプション範囲も調整される必要がある。
【００４７】
図３を参照すれば、参照符号３０１において、現在１０００万画素のカメラが人気商品の場合、１０００万画素未満の画素を詳細に区分する必要性が低くなる。したがって、カテゴリー動的調整システムは、カテゴリーのオプション区間別の商品の人気度を考慮してカテゴリーのオプション範囲を調整することができる。
【００４８】
一例として、カテゴリー動的調整システムは、カテゴリーのオプション区間別の商品の人気度が類似になるように、オプション区間の間隔を異なるようにしてカテゴリーのオプション範囲を調整する。この際、オプション区間別の商品の人気度は、前記オプション区間別の商品選択数、前記オプション区間別の区間選択数、前記オプション区間別の商品ＤＢ個数又は前記オプション区間別の商品販売件数などによって決定される。カテゴリー動的調整システムは、商品の人気度を構成する要素をすべて考慮するか、それらのうち一つを考慮してもよい。
【００４９】
カテゴリーオプション範囲がｎ個のオプション区間に区分される場合、カテゴリー動的調整システムは、各オプション区間に対する商品の人気度が類似するようにオプション区間の間隔を異なるようにする。例えば、商品がデジタルカメラであり、カテゴリーが画素である場合、カテゴリーのオプション範囲が１００万画素から１５００万画素までに決定される。すると、カテゴリー動的調整システムは、１００万画素から１５００万画素までを一定に１００万画素単位に区分し、区分された区間に対する商品の人気度を測定することができる。また、オプション区間別の商品の人気度が類似になるように、カテゴリー動的調整システムは、参照符号３０２のように５００万画素未満、５００〜７００万画素、７００〜１０００万画素、１０００〜１１００万画素、１１００〜１３００万画素及び１３００万画素以上にオプション範囲を調整することができる。参照符号３０２から明らかなように、オプション区間ごとに間隔が異なることが分かる。
【００５０】
すなわち、５００万未満の画素を示すデジタルカメラは、現在時点で人気度が低いため、一つにまとめてオプション区間が調整され、１０００〜１１００万画素は、間隔が小さいが、現在時点で人気度が高いため、さらに細分化されるようにオプション区間が調整される。
【００５１】
図４は、本発明の一実施例によってカテゴリーのオプション範囲を調整する他の一例を示す図である。
【００５２】
図４は、図３と同様に、カテゴリーのオプション範囲を動的に調整する一例を示す。但し、図３とは異なって、図４は、カテゴリーのオプション範囲でオプション区間の間隔を一定にし、但し、商品の人気度を考慮してオプション区間に対する最小値及び最大値を異なるように設定し、カテゴリーのオプション範囲を調整する。
【００５３】
図３のように、オプション範囲を調整する場合、オプション区間が不自然に調整される。例えば、図３のように、オプション区間の間隔を異なるようにする場合、カテゴリー動的調整システムは、６７０万〜８５０万画素、９１０万〜１０９０万画素のように、可読性が劣化するオプション範囲に調整することもある。
【００５４】
このような状況を防止するために、カテゴリー動的調整システムは、オプション区間の間隔を一定にするが、商品の人気度を考慮してオプション範囲の最小値と最大値を適切に調節することができる。例えば、デジタルカメラのカテゴリーである画素が１００〜２０００万画素まで決定されれば、カテゴリー動的調整システムは、実際のデジタルカメラの人気度を考慮して、オプション範囲の最小値を５００万、最大値を１５００万に設定し、その間のオプション区間の間隔を２００万画素と一定に調整することができる。この際、オプション区間の間隔は、さらに細分化した間隔に調整されてもよい。
【００５５】
図３及び図４に示された方法は、商品の状況によって適宜選択される。
【００５６】
図５は、本発明の一実施例によって検索インタフェースを提供する多様な例を示す図である。
【００５７】
この際、検索インタフェースは、ユーザが商品を詳細に検索することができる詳細検索インタフェースであってもよい。また、詳細検索インタフェースは、編集されたカテゴリーを反映することができ、また、定量的カテゴリーに対して調整されたカテゴリーのオプション範囲を反映することができる。
【００５８】
一例として、カテゴリー動的調整システムは、カテゴリーと関連したユーザの選好度に基づいてカテゴリー又はカテゴリーのオプションを整列した詳細検索インタフェースを提供することができる。参照符号５０１は、商品が「デジタルカメラ」の場合、詳細検索インタフェースの一例を示す。この際、参照符号５０２は、「デジタルカメラ」のカテゴリーをユーザの選好度によって整列した結果を意味する。すなわち、ユーザが「画素」を主として検索した場合、カテゴリー動的調整システムは、「画素」を最上位に配置して整列した詳細検索インタフェースをユーザに提供することができる。また、参照符号５０３は、カテゴリーが「製造社」の場合、ユーザの選好度を考慮してカテゴリーのオプションを整列した結果を意味する。すなわち、カテゴリー「製造社」に対して「キヤノン、ニコン、ソニー、オリンパス、三星テックウィン」の順にユーザの選択数が決定されれば、カテゴリー動的調整システムは、詳細検索インタフェースにこのようなユーザの検索状況を反映して整列することができる。
【００５９】
一例として、カテゴリー動的調整システムは、カテゴリーと関連したユーザの選好度に基づいて前記選好度が最も高いカテゴリーのオプションを選択した詳細検索インタフェースを提供する。参照符号５０４は、カテゴリーのオプションのうち、ユーザが最も多く選択したオプションをデフォルトオプションに設定した結果を意味する。参照符号５０４を参照すれば、カテゴリーである「製造社」に対して「キヤノン」というオプションがユーザによって最も多く選択されたことが分かる。
【００６０】
一例として、カテゴリー動的調整システムは、カテゴリーとは別にカテゴリーに対するユーザの選好度データを含む詳細検索インタフェースを提供する。参照符号５０５は、カテゴリーのオプションに対するユーザの選択回数を示している。このようなユーザ選好度データは、カテゴリーとは別に提供され、ユーザが商品を検索するための参照資料として活用される。
【００６１】
図６は、本発明の一実施例に係るカテゴリー動的調整システムの全体構成を示すブロックダイヤグラムである。
【００６２】
図６を参照すれば、カテゴリー動的システム６００は、カテゴリー編集データ生成部６０１、カテゴリー編集部６０２、オプション範囲調整部６０３及び検索インタフェース提供部６０４を含む。
【００６３】
カテゴリー編集データ生成部６０１は、商品を詳細検索するためのカテゴリーに対してユーザからカテゴリー編集データを生成する。ここで、カテゴリーは、商品の属性（例えば、商品がカメラの場合、カテゴリーは、レンズ、メモリ、ズーム倍率などを含む）と関連したデータであってもよい。カテゴリーは、商品の種類によって異ならせてもよい。
【００６４】
一例として、カテゴリー編集データ生成部６０１は、ユーザから既に存在するカテゴリーを修正するか、又は新しいカテゴリーを追加するカテゴリー編集データを生成する。この際、カテゴリー編集データ生成部６０１は、ユーザから既に存在するカテゴリーに対する新しいオプション又は新しいカテゴリーに対する新しいオプションを追加するカテゴリー編集データを生成する。結論的に、カテゴリー動的調整システムは、カテゴリーを追加しながら、カテゴリーのオプションを追加する。
【００６５】
カテゴリー編集部６０２は、カテゴリー編集データを反映して前記商品のカテゴリーを編集する。一例として、新しいカテゴリーを追加する場合、カテゴリー編集部６０２は、臨時にカテゴリーを追加し、追加されたカテゴリーが選択される程度又はシステム管理者の検討によって詳細検索に最終的に追加することができる。
【００６６】
一例として、カテゴリー編集部６０２は、カテゴリーと関連したユーザの選好度に基づいてカテゴリー又はカテゴリーのオプションを整列する。例えば、カテゴリー編集部６０２は、ユーザの関心度によってカテゴリーを降順に整列するか、又はカテゴリーのオプションを降順に整列する。
【００６７】
他の一例として、カテゴリー編集部６０２は、カテゴリーと関連したユーザの選好度に基づいて選好度が最も高いカテゴリーのオプションを選択する。すなわち、カテゴリー編集部６０２は、ユーザの関心が高いカテゴリーのオプションを選択することによって、ユーザにとって詳細検索のための参照データとして活用することができるようになる。
【００６８】
また他の一例として、カテゴリー編集部６０２は、カテゴリーとは別にカテゴリーに対するユーザの選好度データを生成する。すなわち、ユーザが多く選択したカテゴリー又はカテゴリーオプションに対する選択回数として示す選好度データを生成することができる。このような選好度データは、詳細検索インタフェースに別途に提供される。
【００６９】
オプション範囲調整部６０３は、カテゴリー編集が反映された商品の全体カテゴリーのうち定量的カテゴリーに対して商品の属性情報を利用してカテゴリーのオプション範囲を動的に調整する。すなわち、カテゴリー動的調整システムは、カテゴリーが数字オプションで構成された定量的カテゴリーの場合、オプション範囲を動的に調整することができる。
【００７０】
この際、商品の実際検索される状況を考慮して詳細検索のためのカテゴリーのオプション範囲も調整される必要がある。
【００７１】
一例として、オプション範囲調整部６０３は、カテゴリーのオプション区間別の商品の人気度を考慮してカテゴリーのオプション範囲を調整する。この際、商品の人気度は、オプション区間別の商品選択数、オプション区間別の区間選択数、オプション区間別の商品ＤＢ個数又はオプション区間別の商品販売件数などを含めてもよい。カテゴリーのオプション区間別の人気度は、前記言及した事項以外に、他の事項を含めてもよい。
【００７２】
一例として、オプション範囲調整部６０３は、カテゴリーのオプション区間別の商品の人気度が類似するように前記オプション区間の間隔を異なるようにして、前記カテゴリーのオプション範囲を調整する。他の一例として、オプション範囲調整部６０３は、カテゴリーのオプション区間の間隔を一定にし、前記商品の人気度によってオプション区間に対する最小値及び最大値を異なるように設定し、カテゴリーのオプション範囲を調整する。
【００７３】
検索インタフェース提供部６０４は、調整されたオプション範囲を反映し、商品に関する詳細検索インタフェースをユーザに提供することができる。この際、検索インタフェースは、ユーザが商品を詳細に検索することができる詳細検索インタフェースであってもよい。また、詳細検索インタフェースは、編集されたカテゴリーを反映することができ、また、定量的カテゴリーに対して調整されたカテゴリーのオプション範囲を反映することができる。
【００７４】
図６で説明されていない部分は、図１乃至図５の説明を参照することができる。
【００７５】
また、本発明の一実施例に係るカテゴリー動的調整方法は、多様なコンピュータで具現される動作を行うためのプログラム命令を含むコンピュータ読み取り可能な媒体を含む。前記コンピュータ読み取り可能な媒体は、プログラム命令、データファイル、データ構造などを単独に、又は組み合わせて含むことができる。前記媒体において、プログラム命令は、本発明のために特別に設計されて構成されたものであるか、又はコンピュータソフトウェア当業者に公知されて使用可能なものであってもよい。コンピュータ読み取り可能な記録媒体の例として、ハードディスク、プロッピィーディスク及び磁気テープのような磁気媒体、ＣＤ‐ＲＯＭ、ＤＶＤのような光記録媒体、フロプティカルディスクのような磁気‐光媒体、及びＲＯＭ、ＲＡＭ、フラッシュメモリなどのようなプログラム命令を保存し、実行するように特別に構成されたハードウェア装置が含まれる。プログラム命令の例として、コンパイラーによって使われるもののような機械語コードだけでなく、インタプリターなどを使用してコンピュータによって実行される高級言語コードを含む。
【００７６】
以上のように、本発明は、限定された実施例と図面によって説明されたが、本発明は、前記の実施例に限定されるものではなく、これは、本発明の属する分野における通常の知識を有する者ならこのような記載から多様な修正及び変形が可能である。したがって、本発明の思想は、下記に記載した特許請求範囲によって示され、特許請求範囲の意味及び範囲、そしてその均等概念から導き出されるすべての変更又は変形された形態が本発明の範囲に含まれるものとして解釈すべきである。
【符号の説明】
【００７７】
６００  カテゴリー動的調整システム
６０１  カテゴリー編集データ生成部
６０２  カテゴリー編集部
６０３  オプション範囲調整部
６０４  検索インタフェース提供部
【図１】
2010097607.tif 000003
【図２】
2010097607.tif 000004
【図３】
2010097607.tif 000005
【図４】
2010097607.tif 000006
【図５】
2010097607.tif 000007
【図６】
2010097607.tif 000008